【事件の表示】
　特願２０１６−　５６６３６「金属アゾ顔料」拒絶査定不服審判事件〔平成２８年１０月１３日出願公開、特開２０１６−１８０１００〕について、次のとおり審決する。
【結　論】
　本件審判の請求は、成り立たない。
【理　由】
第１　手続の経緯
　この出願は、平成２８年３月２２日（パリ条約による優先権主張２０１５年３月２３日（ＥＰ）欧州特許庁）の出願であって、平成２９年１月３０日付けで拒絶理由が通知され、同年５月８日に意見書及び手続補正書が提出され、同年５月１７日付けで拒絶査定がされ、同年９月２２日に拒絶査定不服審判が請求され、同年１１月１５日に手続補正書（方式）が提出され、平成３０年５月１１日付けで当審から拒絶理由が通知され、同年１１月１２日に意見書及び手続補正書が提出されたものである。 
第２　特許請求の範囲の記載
　この出願の特許請求の範囲の記載は、平成３０年１１月１２日になされた手続補正により補正された特許請求の範囲の請求項１〜１６に記載された事項によって特定された以下のとおりのものであるところ、その請求項１に係る発明（以下「本願発明」という。）は、以下のとおりのものである。
「【請求項１】
　金属アゾ顔料において、
ａ）少なくとも金属イオンＭｅにおいて異なるか、またはそれらの互変異性の形態にある、式（Ｉ）の少なくとも２種の金属アゾ化合物
　　【化１】
［式中、
Ｒ１およびＲ２はそれぞれ独立して、ＯＨであり、
Ｒ３およびＲ４はそれぞれ独立して、＝Ｏであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において前記式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ、前記式（Ｉ）の化合物の総計におけるＣｕ２＋対Ｎｉ２＋の金属イオンのモル比は、（１９：１）から（１：１９）までである］
および
ｂ）式（ＩＩ）の少なくとも１種の化合物
　　【化２】
［式中、
Ｒ６は、水素である］
のアダクトを含むことを特徴とし、
５０〜２００ｍ２／ｇの比表面積を有することを特徴とする、金属アゾ顔料。」
第３　当審が通知した拒絶理由の概要
　平成３０年５月１１日付けで当審が通知した拒絶の理由（以下「当審拒絶理由」という。）は、以下の理由５を含むものである。
　［理由５］この出願の請求項１、２、４〜７、９に係る発明は、その出願前に頒布された下記の刊行物に記載された発明であるから、特許法第２９条第１項第３号に該当し、特許を受けることができない
　　　　　　　　　　　　　　　　記
　刊行物１：特開２００５−３２５３５０号公報（原審における引用文献１）
　なお、本願発明は、当審拒絶理由の対象となった平成２９年５月８日付け手続補正により補正された特許請求の範囲の請求項４に係る発明に対応するものである。
第４　［理由５］についての当審の判断
　当審は、当審拒絶理由のとおり、本願発明は、刊行物１に記載された発明であるから、特許法第２９条第１項第３号に該当し、特許を受けることができないと判断する。
　その理由は以下のとおりである。
１　刊行物
　刊行物１：特開２００５−３２５３５０号公報（原審における引用文献１）
２　刊行物の記載事項
(１ａ)「【請求項１】顔料配合物において、 
ａ）互変異性構造の形で、式（Ｉ） 
［式中・・・（注：部分構造及び置換基の説明は省略する。）・・・］に相当するアゾ化合物の、少なくとも１種の金属錯体、およびこの金属錯体は少なくとも１種の他の化合物を挿入する、 
ｂ）場合により、その鉄含量が成分ａ）に対して、３０ppmより少量・・・である、成分ａ）とは異なる鉄化合物、 
ｃ）金属が成分ａ）およびｂ）の金属化合物の金属とは異なり、その金属含量が成分ａ）に対して少なくとも１０ppmであり、この金属が有利にＬｉ、ＮａおよびＫのようなアルカリ金属、Ｍｇ、ＣａおよびＢａのようなアルカリ土類金属、Ｌａ、Ｃｅ、ＰｒおよびＮｄのようなランタノイド、および同様にＡｌ、Ｓｃ、Ｔｉ、Ｖ、Ｃｒ、Ｍｎ、Ｃｏ、Ｃｕ、ＮｉおよびＺｎの群から選択されている、少なくとも１種の金属化合物、 
を含有する顔料配合物。 
　・・・・・・・・・・・・・・・ 
　【請求項５】式（Ｉ）のアゾ化合物がその遊離酸の形で、式（ＩＩ）または（ＩＩＩ） 
［式中、Ｒ'5 は−ＯＨまたは−ＮＨ2 を表し、 
Ｒ'1、Ｒ''1、Ｒ'2 およびＲ''2 はそれぞれ水素を表し、 
Ｍ'1 およびＭ''1 は相互に独立して水素、−ＯＨ、−ＮＨ2、−ＮＨＣＮ、アリールアミノまたはアシルアミノを表す］の式またはその互変異性式の１つに相当する、請求項１から４までのいずれか１項記載の顔料配合物。 
　【請求項６】式（Ｉ）のアゾ化合物が式（Ｖ） 
またはその互変異性形に相応する、請求項１から５までのいずれか１項記載の顔料配合物。 
　【請求項７】成分ａ）の金属錯体が、Ｌｉ、Ｎａ、Ｋ、Ｍｇ、Ｃａ、Ｂａ、Ａｌ、Ｓｃ、Ｔｉ、Ｖ、Ｃｒ、Ｍｎ、Ｃｏ、Ｎｉ、Ｃｕ、Ｚｎ、Ｌａ、Ｃｅ、Ｐｒ、Ｎｄの群から、特にＮａ、Ｋ、Ｃａ、Ｂａ、Ａｌ、Ｍｎ、Ｃｏ、Ｎｉ、Ｃｕ、Ｚｎ、Ｌａ、Ｃｅの群から選択された金属を有する式（Ｉ）のアゾ化合物のモノ−、ジ−、トリ−およびテトラアニオンに相当する、請求項１から６までのいずれか１項記載の顔料配合物。 
　【請求項８】成分ａ）の金属錯体の金属がＮｉである、請求項１から７までのいずれか１項記載の顔料配合物。 
　【請求項９】成分ａ）の金属錯体が環式または非環式有機化合物、特にメラミンを挿入する請求項１から８までのいずれか１項記載の顔料配合物。 
　【請求項１０】成分ｃ）の金属化合物の金属が、Ｌｉ、Ｎａ、Ｋ、Ｃａ、Ｂａ、Ａｌ、Ｍｎ、Ｃｏ、Ｎｉ、Ｃｕ、Ｚｎ、Ｌａ、Ｃｅの群、特にＮａ、Ｋ、Ｃｏ、Ｃｕの群からの少なくとも１種の金属、有利にＣｏまたはＣｕである、請求項１から９までのいずれか１項記載の顔料配合物。 
　【請求項１１】更に少なくとも１種の分散剤を含有する、請求項１から１０までのいずれか１項記載の顔料配合物。 
　【請求項１２】Ｃ.Ｉ.顔料グリーン３６を含有する、請求項１から１１までのいずれか１項記載の顔料配合物。 
　【請求項１３】更に成分ｄ）として、テルペン、テルペノイド、脂肪酸エステルの群および水中に２０℃で１g/l未満、特に０．１g/l未満の溶解性を有する、ホモポリマーまたはコポリマー、例えばランダムまたはブロック−コポリマーの群から選択された、少なくとも１種の有機化合物を含有する、請求項１から１２までのいずれか１項記載の顔料配合物。 
　【請求項１４】請求項１から１３までのいずれか１項記載の顔料配合物を製造する方法において、式（Ｉ）のアゾ化合物を、金属塩ａ）と、場合によりそのＦｅ−含量が成分ａ）に対して３０ppm未満である鉄塩ｂ）の存在で、かつその金属含量が成分ａ）に対して少なくとも１０ppmであるａ）およびｂ）とは異なる金属塩ｃ）の存在で、錯形成し、かつ挿入されるべき化合物を錯形成の前、間または後で添加することを特徴とする、請求項１から１３までのいずれか１項記載の顔料配合物の製法。 
　【請求項１５】請求項１から１３までのいずれか１項記載の顔料配合物を製造する方法において、その他の化合物を挿入して含有する式（Ｉ）のアゾ化合物の金属錯体（成分ａ））を場合によりそのＦｅ−含量が成分ａ）に対して３０ppm未満であるＦｅ−化合物（成分ｂ））と、およびその金属含量が成分ａ）に対して１０ppm未満であり、その金属が成分ａ）およびｂ）の金属錯体の金属とは異なる少なくとも１種の金属化合物と、および場合によりその他の添加物と、混合することを特徴とする、請求項１から１３までのいずれか１項記載の顔料配合物の製法。 
　【請求項１６】インキジェットインキ、液晶ディスプレイのためのカラーフィルター、合成、半合成または天然高分子物質、特にポリ塩化ビニル、ポリスチレン、ポリアミド、ポリエチレンまたはポリプロピレンの原液着色のための、並びに天然、再生または合成繊維、例えばセルロース−、ポリエステル−、ポリカーボネート−、ポリアクリロニトリル−またはポリアミド繊維のスピン染色のための、インキジェット可能でない印刷インキ、ディステンパー着色剤またはバインダー着色剤を製造するための、並びに織物および紙のプリントのための、請求項１から１３までのいずれか１項記載の顔料配合物の使用。 
　【請求項１７】請求項１から１３までのいずれか１項記載の少なくとも１種の顔料配合物を含有するカラーフィルター。 
　【請求項１８】液晶ディスプレイのためのカラーフィルターを製造するための請求項１から１３までのいずれか１項記載のまたは請求項１７記載の顔料配合物の使用。 
　【請求項１９】少なくとも１種の光硬化性モノマー、少なくとも１種の光開始剤、および請求項１から１３までのいずれか１項記載の少なくとも１種の顔料配合物を含有するフォトレジスト。 
　【請求項２０】液晶ディスプレイのためのカラーフィルターを製造するための方法において、請求項１から１３までのいずれか１項記載の少なくとも１種の顔料配合物を、場合によりバインダー樹脂および／または分散剤の添加下に有機溶剤中で粉砕し、引き続き光硬化性モノマー、光反応開始剤、および場合によりその他のバインダーおよび／または溶剤の添加下に処理してフォトレジストを形成し、続いてこのフォトレジストを好適なコーティング法、例えばローラー、スプレー、スピン、浸漬またはエアナイフコーティングにより、好適な基材、一般にガラスプレート上に適用し、フォトマスクを用いて照射し、引き続き硬化し、現像して完成した有色カラーフィルターを形成することを特徴とする、液晶ディスプレイのためのカラーフィルターの製法。 
　【請求項２１】請求項１７記載の少なくとも１種のカラーフィルターを含有する、液晶ディスプレイ。 
　【請求項２２】写真平板法、オフセット印刷または機械的、ピエゾ機械的または熱的インキジェット印刷によりカラーフィルターを製造するための印刷インキ中への、請求項１から１３までのいずれか１項記載の顔料配合物の使用。 
　【請求項２３】印刷インキが付加的に水性有機賦形媒体を含有する、請求項２２記載の使用。」 
(１ｂ)「【技術分野】 
　【０００１】本発明は金属錯体を含有する顔料配合物、その製法、その使用、特にカラーフィルターを製造するための使用および同様にカラーフィルター自体に関する。」 
(１ｃ)「【発明が解決しようとする課題】 
　【０００７】帯黄緑色の着色成分がＣＩ顔料グリーン３６および黄色金属アゾ顔料からなるのが有利である。他の色相との組合せ可能性を改善するために、できるだけ彩度の高い、透明な帯黄緑色の着色成分が有利である。このためには黄色顔料ができるだけ彩度が高く、透明でなければならない。例えば単独の成分として緑が強すぎる顔料グリーン３６とより良好に混合可能であるためには、この黄色顔料は同時に自体緑色を帯びていてはならない。この黄色顔料の色相が“赤色”の方向に僅かにシフトしているか、もしくは彩度が上昇している場合に、この黄色顔料の、例えば顔料グリーン３６のための色直し成分としての劇的な改善を意味する。更に、その都度の三元色カラーフィルター（赤、緑、青）を合わせる際に完全な光吸収が生じることが最適である。 
　【課題を解決するための手段】 
　【０００８】黄色成分として次の顔料配合物を使用する場合に、前記の緑の色相の特性を明らかに改善することができることが見いだされた。 
　【０００９】従って、本発明は、 
ａ）互変異性構造の形で、式（Ｉ） 
【００１０】
【化１】
［・・・（注：部分構造及び置換基の説明は省略する。）・・・］に相当するアゾ化合物の、少なくとも１種の金属錯体、およびこの金属錯体は少なくとも１種の他の化合物を挿入する、 
ｂ）場合により、その鉄含量が成分ａ）に対して、３０ppmより少量・・・である、成分ａ）とは異なる鉄化合物、 
ｃ）金属が成分ａ）およびｂ）の金属化合物の金属とは異なり、その金属含量が成分ａ）に対して少なくとも１０ppmであり、この金属が有利にＬｉ、ＮａおよびＫのようなアルカリ金属、Ｍｇ、ＣａおよびＢａのようなアルカリ土類金属、Ｌａ、Ｃｅ、ＰｒおよびＮｄのようなランタノイド、および同様にＡｌ、Ｓｃ、Ｔｉ、Ｖ、Ｃｒ、Ｍｎ、Ｃｏ、Ｃｕ、ＮｉおよびＺｎの群から選択されている、少なくとも１種の金属化合物、 
を含有する顔料配合物に関する。 
　・・・・・・・・・・・・・・・ 
　【００１９】遊離の酸の形で式（Ｖ） 
　【００２０】 
の互変異性構造の１つに相当する式（Ｉ）のアゾ化合物の有機金属錯体が特に優れている。 
　・・・・・・・・・・・・・・・ 
　【００２７】式（Ｉ）〜（Ｖ）の金属塩としても理解することのできる金属錯体は、有利にＬｉ、Ｎａ、Ｋ、Ｍｇ、Ｃａ、Ｂａ、Ａｌ、Ｓｃ、Ｔｉ、Ｖ、Ｃｒ、Ｍｎ、Ｃｏ、Ｎｉ、Ｃｕ、Ｚｎ、Ｌａ、Ｃｅ、Ｐｒ、Ｎｄ、より有利にＮａ、Ｋ、Ｃａ、Ｂａ、Ａｌ、Ｍｎ、Ｃｏ、Ｎｉ、Ｃｕ、Ｚｎ、Ｌａ、Ｃｅ、更に有利にＮｉの金属を有するモノ−、ジ−、トリ−およびテトラアニオンの塩および錯体を包含する。
　【００２８】一般式（Ｉ）の化合物は、有利に特に１：１のアゾ−金属錯体である。非常に有利であるのは、式（ＶＩ） 
　【００２９】 
のアゾバルビツール酸−ニッケル１：１錯体またはその錯体の互変異性形の１つであり、これは少なくとも他の化合物１種を包含する。 
　・・・・・・・・・・・・・・・ 
　【００３５】挿入される化合物として特に有利に、メラミンまたはメラミン誘導体、特に式（ＶＩＩ） 
　【００３６】 
［式中、Ｒ6a は水素またはＣ1〜Ｃ4−アルキルを表し、これは場合によりＯＨ−基で置換されている］のような化合物を使用し、特に有利には前記式中のＲ6a が水素である化合物を使用する。 
　【００３７】金属化合物の結晶格子中に挿入されることのできる物質の量は、ホスト化合物に対して、一般に５〜２００質量％、特に５〜１２０質量％である。有利には１０〜１００質量％挿入される。ここでは、物質の量は好適な溶剤により洗出不可能であり、元素分析から明らかになる量である。勿論、物質の前記量より多量かまたは少量を使用することもでき、その際場合により過剰を洗出することを回避することができる。１０〜１５０質量％の量が有利である。」 
(１ｄ)「【００３８】本発明による配合物中に含有される成分ａ）の顔料は有利に７０〜１５０m2/g、特に有利に８５〜１４０m2/g、殊に有利に１００〜１３０m2/gの表面積（m2/g）を有する。この表面積はＤＩＮ６６１３１により測定する：ブルナウアー・エメット・テラー（Ｂ.Ｅ.Ｔ）によるガス吸着による固体の比表面積の測定。」 
(１ｅ)「【００５４】更に、本発明は、式（Ｉ）のアゾ化合物を、金属塩ａ）（成分ａ）のために）と、場合によりＦｅ−化合物の存在で、かつそれぞれこれとは異なる金属塩ｃ）（成分ｃ）のため）の存在で、錯形成し、かつ生じた金属錯体を挿入されるべき化合物と反応させる本発明による顔料配合物を製造する方法に関し、この製法は金属塩ｃ）の金属の含量が、金属錯体および挿入した化合物の合計に対して少なくとも１０ppmであり、かつ鉄含量が成分ａ）に対して３０ppm未満であることを特徴とする。 
　・・・・・・・・・・・・・・・ 
　【００６４】このようにして得られた成分ａ）、ｃ）および場合によりｂ）の金属化合物の混合物、以下に省略して“顔料”という、を次いでその水性懸濁液の濾過により水性プレスケーキとして単離することができる。このプレスケーキを、例えば熱水で洗浄し、通常の乾燥法により乾燥することができる。 
　【００６５】乾燥法としては、適当な水性スラリーの例えばパドル乾燥または噴霧乾燥を挙げることができる。 
　【００６６】引き続き、この顔料を後粉砕する。」 
(１ｆ)「【００７２】例えば、印刷インキ、ディステンパー着色剤またはバインダー着色剤の製造のための、合成、半合成または天然高分子物質、例えばポリ塩化ビニル、ポリスチレン、ポリアミド、ポリエチレンまたはポリプロピレンの原液着色のための、全ての種類の塗料の顔料着色のために好適である。これは天然、再生または合成繊維、例えばセルロース−、ポリエステル−、ポリカーボネート−、ポリアクリロニトリル−またはポリアミド繊維のスピン染色のためにも、並びに織物および紙の印刷のためにも使用することができる。この顔料は、紙着色のために、織物の顔料印刷のために、ラミネート印刷のために、またはビスコースのスピン染色のために有用であるエマルジョンおよびペイントカラーの微細で、安定な水性顔料を、非イオン、アニオンまたはカチオン界面活性剤の存在で粉砕または混練することにより提供する。 
　【００７３】この顔料はインキジェット適用のためにも液晶ディスプレイのためのカラーフィルターのためにも好適である。 
　【００７４】成分ａ）、ｃ）および場合によりｂ）および 
ｄ）テルペン、テルペノイド、脂肪酸、脂肪酸エステルの群および２０℃および中性のｐＨで、水中に１ｇ／ｌ未満、特に０.１ｇ／ｌ未満の溶解性を有するホモポリマーまたはコポリマー、例えばランダムまたはブロック−コポリマーの群から選択された、少なくとも１種の有機化合物 
を含有する本発明による顔料配合物が特に好適である。 
　・・・・・・・・・・・・・・・ 
　【００８２】場合により、本発明による顔料配合物は付加的に界面活性剤（ｅ）を含有する。 
　・・・・・・・・・・・・・・・ 
　【００９４】勿論、本発明による配合物はその他の添加物を含有していてよい。こうして、例えば粘度を低下させるか、または固体含量を増加させる添加物を、水性懸濁液の製造の経過において、配合物に対して１０質量％までの量で添加することができる。 
　【００９５】その他の添加物は例えば無機および有機塩基並びに顔料配合物に常用の添加物である。」 
(１ｇ)「【０１０１】前記の顔料の本発明による使用もしくは本発明による顔料配合物の液晶ディスプレイのためのカラーフィルターの製造のための使用を、例として以下にフォトレジスト法による顔料分散法を用いて記載する。 
　【０１０２】カラーフィルターを製造するための本発明による顔料配合物の本発明による使用は、例えば“顔料”または顔料配合物、特に固体顔料配合物を、場合によりバインダー樹脂および有機溶剤と、場合により分散剤の添加下に、均質にしかつ引き続き連続的にまたは非連続的に、 
 ９９．５％＜１０００nm、有利に９５％＜５００nmおよび特に９０％＜２００nmの数（電子顕微鏡により測定）の粒度に湿式粉砕することを特徴とする。 
　・・・・・・・・・・・・・・・ 
　【０１１４】その他の顔料： 
　前記意味における“顔料”の使用は有利に、これを単独でまたは“他の顔料”との混合物で、カラーフィルターもしくはカラーフィルターのための顔料配合物または調合物に使用することを特徴とする。 
　【０１１５】“他の顔料”とは式（Ｉ）のアゾ化合物の他の金属塩またはこれをベースとする顔料配合物であると理解することも、他の有機顔料であると理解することもできる。 
　【０１１６】他の場合により一緒に使用する顔料の選択に関して、本発明により全く制限はない。無機顔料であっても有機顔料であってもよい。 
　・・・・・・・・・・・・・・・ 
　【０１２０】本発明による顔料配合物並びに調合物は前記意味の“顔料”およびＣ.Ｉ.顔料グリーン３６を“顔料”２０〜８０％対Ｃ.Ｉ.顔料グリーン３６ ８０〜２０％、有利には４０〜６０％対６０〜４０％の割合で含有する。 
　・・・・・・・・・・・・・・・ 
　【０１２７】カラーフィルターのための顔料配合物の本発明による使用の際に使用する有機溶剤は、例えば、ケトン、アルキレングリコールエーテル、アルコールおよび芳香族化合物である。」 
(１ｈ)「【０１３６】本発明は、有利に 
Ａ）前記の意味において少なくとも１種の“顔料”、特に他の顔料、有利にＣ.Ｉ.グリーン３６との混合物で、またはこれをベースとする本発明による顔料配合物、 
Ｂ１）少なくとも１種の光硬化性モノマー、 
Ｂ２）少なくとも１種の光開始剤、 
Ｃ１）場合により有機溶剤、 
Ｄ）場合により分散剤、 
Ｅ）場合によりバインダー樹脂 
並びに場合によりその他の添加物 
を含有するフォトレジストにも関する。」 
(１ｉ)「【０１３８】例１：ドーピングなし 
　ジアゾバルビツール酸１molを９０℃の熱水５ｌ中でバルビツール酸１molとＫＯＨ−滴定下にｐＨ５で反応させる。メラミン２molを添加する。ｐＨを塩酸で５に調節する。４０％濃度の塩化ニッケル溶液１molを滴加する。９０℃で１時間の経過後ＫＯＨでｐＨ５に調節する。その後塩酸でｐＨ１．５にして、３時間、９８℃で熱調節する。その後、ＫＯＨでｐＨ５に調節する。引き続き、顔料を吸引濾過で単離し、洗浄し、８０℃で真空乾燥箱中で乾燥し、常用の実験室ミルで約２分間粉砕する。 
　【０１３９】次の本発明による例において、塩化ニッケル溶液を塩化ニッケルと塩化銅からなる混合物溶液に代える。 
例１ａ：Ｎｉ １molをＮｉ ０．９９８mol＋Ｃｕ ０．００２molにより置換する 
例１ｂ：Ｎｉ １molをＮｉ ０．９９５mol＋Ｃｕ ０．００５molにより置換する 
例１ｃ：Ｎｉ １molをＮｉ ０．９９mol＋Ｃｕ ０．０１molにより置換する 
例１ｄ：Ｎｉ １molをＮｉ ０．９８mol＋Ｃｕ ０．０２molにより置換する 
例１ｅ：Ｎｉ １molをＮｉ ０．９６mol＋Ｃｕ ０．０４molにより置換する 
例１ｆ：Ｎｉ １molをＮｉ ０．９２mol＋Ｃｕ ０．０８molにより置換する 
例１ｇ：Ｎｉ １molをＮｉ ０．８４mol＋Ｃｕ ０．１６molにより置換する。 
　【０１４０】その都度、試験すべき顔料４ｇを市販の白色ペースト３９６ｇ、例えばNordsjoe（Akzo Nobel）からのReady Nova 70、および直径２mmのガラスビーズ４００mlとSuessmeierビーズミル中で冷却下に粉砕する。このペーストをドローダウン紙に線巻きブレード（２５μｍ）で塗布し、Gardnerからの色度計Color Guide 450を用いて比色分析的に測定する。 
　【０１４１】色特性の測定のためには、バインダー系が好適である。この結果は色相および輝度に関するＬＣＤ−適用のための色特性に非常に良好に転用することができる。 
　【０１４２】色測定の原理は、例えばBayer Farben Revue，Sonderheft 3/2D，Farbmessung 1986中に記載されている。 
　【０１４３】定義において、ゼロテストは色の濃さ１００％を有する。ゼロテストのＤＣおよびＤＨは定義において０である。 
　【０１４４】【表１】 
　【０１４５】ＤＣは輝度に関する尺度であり比色分析により測定される。プラスの値が所望され、比較値より高い輝度を表す。 
　【０１４６】ＤＨは色相のシフトの尺度であり、比色分析により測定されている。０より小さい値は黄色成分の所望の赤色方向へのシフトを示す。」
３　刊行物に記載された発明 
　刊行物１は、成分ａ）〜ｃ）を含有する顔料配合物、顔料配合物の製法、及び顔料配合物の用途に関する特許文献であり（摘示（１ａ）〜（１ｉ））、実施例の例１には、特許請求の範囲に記載された顔料配合物のうち成分ａ）に対応した具体的製造例の手順として、塩化ニッケル溶液を用いたドーピングなしの顔料の製造方法が記載され（摘示（１ｉ）【０１３８】）、さらに、別の具体例である「例１ｆ」又は「例１ｇ」として、上記塩化ニッケル溶液を用いるものに代えて塩化ニッケルと塩化銅からなる混合物溶液（ニッケル（Ｎｉ）と銅（Ｃｕ）を、それぞれ０．９２ｍｏｌ＋０．０８ｍｏｌ、０．８４ｍｏｌ＋０．１６ｍｏｌ含む。）を用いて製造した顔料の具体例が記載されている（摘示（１ｉ）【０１３９】）。
　また、摘示（１ｉ）【０１４０】〜【０１４６】には、試験すべき顔料４ｇを白色ペースト３９６ｇに混合してペーストの試料を作りドローダウン紙に塗布して色相及び輝度を比色分析的に測定したことが記載され、その結果が表１に「バインダー色の濃さ」、「バインダーＤＣ」（ＤＣは輝度に関する尺度）及び「バインダーＤＨ」（ＤＨは色相のシフトの尺度）の項目で記載されている（摘示（１ｉ）【０１４４】）。
　そして、表１には、「ＢＥＴ＊」「＊ｍ２／ｇで記載、ドイツ標準規格ＤＩＮ６６１３１により測定」の項目の測定結果も記載されている（摘示（１ｉ）【０１４４】）。
　したがって、刊行物１には、具体的な製法を伴った、上記実施例の例１ｆ及び例１ｇに係る顔料として、
「ジアゾバルビツール酸１molを９０℃の熱水５ｌ中でバルビツール酸１molとＫＯＨ−滴定下にｐＨ５で反応させ、メラミン２molを添加し、ｐＨを塩酸で５に調節し、４０％濃度の塩化ニッケルと塩化銅からなる混合物溶液（Ｎｉ　０．９２ｍｏｌとＣｕ　０．０８ｍｏｌを含む）を滴加し、９０℃で１時間の経過後ＫＯＨでｐＨ５に調節し、その後塩酸でｐＨ１．５にして、３時間、９８℃で熱調節し、その後、ＫＯＨでｐＨ５に調節し、引き続き、顔料を吸引濾過で単離し、洗浄し、８０℃で真空乾燥箱中で乾燥し、常用の実験室ミルで約２分間粉砕して得られた、ＢＥＴが１１３ｍ２/ｇである顔料」の発明（以下「引用発明１」という。）及び
「ジアゾバルビツール酸１molを９０℃の熱水５ｌ中でバルビツール酸１molとＫＯＨ−滴定下にｐＨ５で反応させ、メラミン２molを添加し、ｐＨを塩酸で５に調節し、４０％濃度の塩化ニッケルと塩化銅からなる混合物溶液（Ｎｉ　０．８４ｍｏｌとＣｕ　０．１６ｍｏｌを含む）を滴加し、９０℃で１時間の経過後ＫＯＨでｐＨ５に調節し、その後塩酸でｐＨ１．５にして、３時間、９８℃で熱調節し、その後、ＫＯＨでｐＨ５に調節し、引き続き、顔料を吸引濾過で単離し、洗浄し、８０℃で真空乾燥箱中で乾燥し、常用の実験室ミルで約２分間粉砕して得られた、ＢＥＴが１１４ｍ２/ｇである顔料」の発明（以下「引用発明２」という。）が記載されているということができる。
４　本願発明と引用発明１及び２との対比・判断
　以下では、本願発明の金属アゾ化合物中の金属イオンＭｅについて、本願発明の式（Ｉ）の化合物１モルを基準にＣｕ２＋およびＮｉ２＋の金属イオンの量が１００モル％の場合について検討する。
（１）本願発明と引用発明１との対比
ア　対比
　引用発明１の顔料は、刊行物１の特許請求の範囲の請求項１に記載されたａ）成分のアゾ化合物である「互変異性構造の形で、式（Ｉ） 
［式中・・・（注：部分構造及び置換基の説明は省略する。）・・・］に相当するアゾ化合物の、金属錯体及び挿入された他の化合物の具体例であると考えられ、その金属錯体の方は、製造方法により特定されているだけであり化学構造式により特定されていないものの、式（Ｉ）のアゾ化合物の金属錯体化合物であるのだから、本願発明のａ）成分である式（Ｉ）で表される金属アゾ化合物との対比において、金属アゾ化合物との限りにおいて一致している。
　引用発明１の「メラミン」は、本願発明のｂ）成分に相当する。
　引用発明１のアゾ化合物は、上で述べたとおり式（Ｉ）のアゾ化合物の金属錯体化合物であり、このアゾ化合物を成分として含む顔料は、本願明細書の段落【０００１】の「本発明は、・・・金属アゾ化合物のアダクトをベースとする・・・金属アゾ顔料」との記載からみて、本願発明の「金属アゾ顔料」に相当する。
　また、引用発明１の「ＢＥＴが１１３ｍ２／ｇである」は、刊行物１の段落【００３８】を参酌して明らかなように、ＢＥＴは比表面積を表すものであるから、引用発明１のＢＥＴの値は、本願発明の比表面積の値に少なくとも該当する限りで両者は一致する。
　そうすると、本願発明と引用発明１とは、
「金属アゾ顔料において、金属アゾ化合物及びｂ）式（ＩＩ）の少なくとも１種の化合物
［式中、Ｒ６は、水素である］を含む、測定された比表面積が５０〜２００ｍ２／ｇの比表面積を有する金属アゾ顔料」である限りで一致し、以下の点で一応相違する。
（相違点１）
　金属アゾ化合物が、本願発明では、ａ）金属アゾ化合物として式（Ｉ）の少なくとも２種の金属アゾ化合物
［式中、
Ｒ１およびＲ２はそれぞれ独立して、ＯＨであり、
Ｒ３およびＲ４はそれぞれ独立して、＝Ｏであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において前記式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ、前記式（Ｉ）の化合物の総計におけるＣｕ２＋対Ｎｉ２＋の金属イオンのモル比は、（１９：１）から（１：１９）までである］であると特定されているのに対して、引用発明１では、「ジアゾバルビツール酸１molを９０℃の熱水５ｌ中でバルビツール酸１molとＫＯＨ−滴定下にｐＨ５で反応させ、メラミン２molを添加し、ｐＨを塩酸で５に調節し、４０％濃度の塩化ニッケルと塩化銅からなる混合溶液（Ｎｉ　０．９２ｍｏｌとＣｕ　０．０８ｍｏｌを含む）を滴加し、９０℃で１時間の経過後ＫＯＨでｐＨ５に調節し、その後塩酸でｐＨ１．５にして、３時間、９８℃で熱調節し、その後、ＫＯＨでｐＨ５に調節し、引き続き、顔料を吸引濾過で単離し、洗浄し、８０℃で真空乾燥箱中で乾燥し、常用の実験室ミルで約２分間粉砕して得られた顔料」と製造方法によって特定されているだけであって、化学構造式が明示されていない点
（相違点２）
　本願発明では、５０〜２００ｍ２／ｇの比表面積を有する金属アゾ顔料と特定しているのに対して、引用発明１では、得られた金属アゾ顔料の比表面積の測定値が１１３ｍ２／ｇである点
（相違点３）
　金属アゾ顔料が、本願発明では、成分ａ）の式（Ｉ）の金属アゾ化合物と成分ｂ）の式（ＩＩ）の化合物のアダクトを含むと特定しているのに対して、引用発明１では、ジアゾバルビツール酸、バルビツール酸及びメラミンから製造されることは特定されているものの、最終的にアダクトの成分として特定がされていない点
イ　判断
（ア）相違点１について
　刊行物１の特許請求の範囲の請求項１には、成分ａ）として、互変異性構造の式（Ｉ）
のアゾ化合物の少なくとも１種の金属錯体、およびこの金属錯体は少なくとも１種の他の化合物を挿入するものが記載され、その請求項６には、成分ａ）のアゾ化合物が以下の式（Ｖ）
またはその互変異性形に相応することが記載されており、また、請求項７には、成分ａ）の金属錯体が、Ｎｉ、Ｃｕが例示される金属を有する式（Ｉ）のアゾ化合物であることが記載されている。
　また、刊行物１の段落【００２７】〜【００２８】には、「式（Ｉ）〜（Ｖ）の金属塩としても理解することのできる金属錯体は、有利にＬｉ、Ｎａ、Ｋ、Ｍｇ、Ｃａ、Ｂａ、Ａｌ、Ｓｃ、Ｔｉ、Ｖ、Ｃｒ、Ｍｎ、Ｃｏ、Ｎｉ、Ｃｕ、Ｚｎ、Ｌａ、Ｃｅ、Ｐｒ、Ｎｄ、より有利にＮａ、Ｋ、Ｃａ、Ｂａ、Ａｌ、Ｍｎ、Ｃｏ、Ｎｉ、Ｃｕ、Ｚｎ、Ｌａ、Ｃｅ、更に有利にＮｉの金属を有するモノ−、ジ−、トリ−およびテトラアニオンの塩および錯体を包含する」こと、「一般式（Ｉ）の化合物は、有利に特に１：１のアゾ−金属錯体である」ことが記載されている。そして段落【００２８】〜【００２９】には、「非常に有利であるのは、式（ＶＩ）
のアゾバルビツール酸−ニッケル１：１錯体またはその錯体の互変異性形」であることが記載されている。
　そして、本願の優先日前に公知である特公昭５２−２５４０８号公報には、その特許請求の範囲に
「１　アゾ−バルビツール酸を多価金属誘導体で処理することを特徴とするアゾ染料の製造方法。」が記載され、発明の詳細な説明に、
「本発明は、式
のバルビツール酸と多価金属誘導体との反応生成物及びそれら化合物の製造方法に関する。
　また本発明は該反応生成物の顔料染料としての使用に関する。
　更に本発明は式（Ｉ）のアゾ染料の顔料染料としての使用に関する。
　金属の種類に応じて、上記反応生成物は金属塩または金属錯化合物の形で存在することができる。
　アゾ−バルビツール酸〔式（Ｉ）〕の好適な金属塩または金属錯体は、マグネシウム、バリウム、ストロンチウム、アルミニウム、亜鉛、マンガン、鉄、コバルト、ニッケル、銅及びカドミウム化合物並びにその混合物である。」（第１欄第２３行〜第２欄第６行）が記載され、製造方法の具体的な記載として、
「上記の反応生成物は、アゾ−バルビツール酸を多価金属の塩で処理して製造される；好適な方法は多価金属塩の存在下においてアゾ−バルビツール酸を合成することである。」（第２欄第１６〜１９行）、また、「式（Ｉ）の出発染料は、例えばバルビツール酸及びスルホニルアジドからアゾ基の移動によって、或いはアルカリ性媒質中で５−ジアゾ−バルビツール酸とバルビツール酸とのカップリングによって得ることができる〔Ｗ．Ｒｉｅｄ及びＢ．Ｐｅｔｅｒｓ、Ｌｉｅｂｉｇｓ　Ａｎｎ．Ｃｈｅｍ．７２９、１１９（１９６９）；Ｍ．Ｒｅｇｉｔｚ．Ａｎｇｅｗ．Ｃｈｅｍ．７９、７８６（１９６７）参照〕。」（第３欄第１２〜１９行）であることが記載されている。
　上記記載からすると、多価金属塩の存在下、５−ジアゾ−バルビツール酸とバルビツール酸とを反応させることにより、アゾバルビツール酸の金属錯化合物が製造されることは技術常識であるといえる。
　このような刊行物１の段落【００２７】〜【００２９】の記載及び上記技術常識を踏まえて引用発明１をみてみると、引用発明１では、ジアゾバルビツール酸１モルとバルビツール酸１モルを反応させ、４０％濃度の塩化ニッケルと塩化銅からなる混合溶液（Ｎｉ　０．９２ｍｏｌとＣｕ　０．０８ｍｏｌを含む）を滴加して顔料を製造しているから、刊行物１の【００２９】に記載されたアゾバルビツール酸とニッケルが１：１で形成している化合物（ＶＩ）の錯体において、Ｎｉのうち８モル％がＣｕに置換し、９２モル％がＮｉである２種の金属アゾ化合物が製造されたといえる。そして、この金属アゾ化合物は、刊行物１の特許請求の範囲の請求項１に記載された成分ａ）のアゾ化合物の金属錯体の具体例であるといえる。
　そうすると、引用発明１の製造方法で製造された金属アゾ化合物は、本願発明の式（Ｉ）で示される化合物のうち、Ｒ１及びＲ２は「＝Ｏ」であり、Ｒ３及びＲ４は「＝Ｏ」であり、「Ｍｅ」は、Ｎｉ２＋が９２モル％及びＣｕ２＋が８モル％有し、１，３ジアジン環中の二重結合の数が１つである金属アゾ化合物であるということができる。そして、「Ｍｅ」がＮｉ２＋が９２モル％及びＣｕ２＋が８モル％であるから、Ｃｕ２＋及びＮｉ２＋の群からの金属イオンの量が１００％であり、Ｃｕ２＋対Ｎｉ２＋の金属イオンのモル比は、（８：９２）であり、（１９：１）〜（１：１９）に含まれる。
　ここで、引用発明１の製造方法で製造された化合物は、Ｒ１及びＲ２は「＝Ｏ」であり、１，３ジアジン環中の二重結合の数が１つであるが、これは、互変異性により、Ｒ１及びＲ２に隣接する１，３ジアジン環中の窒素原子と結合する「水素原子」がＲ１及びＲ２の「＝Ｏ」に転移する結果、Ｒ１及びＲ２が「ＯＨ」となり、そして、１，３ジアジン環中の二重結合数が２つになったものであることは明らかである。
　そうすると、相違点１は、実質的な相違点であるとはいえない。
（イ）相違点２について
　刊行物１の段落【００３８】（摘示（１ｄ））には、「本発明による配合物中に含有される成分ａ）の顔料は有利に７０〜１５０ｍ２／ｇの表面積（・・・）を有すること、この表面積はＤＩＮ６６１３１により測定する」ことが記載され、ＤＩＮ６６１３１により測定される比表面積の対象は配合物中の成分ａ）であることが記載されている。
　また、本願優先日前に公知であった参考資料１（伊藤征司郎総編集、「顔料の事典」、株式会社朝倉書店、２０００年９月２５日発行、第４３頁）には、「３．３．６　比表面積の測定」の項目において、「顔料のいろいろな機能を正確に見積もるには、顔料表面の比表面積の値が必要である。・・・特に、顔料のような微粒子は比表面積（・・・）が大きいので、表面の構造と性質の評価が重要になり、比表面積の測定が必須となる。」（第４３頁左欄第１１〜２５行）と記載され、その中の一つの測定方法として「ａ．　ＢＥＴ法」が「非多孔性粉体かメソ孔より大きな細孔をもつ多孔体の比表面積は、等温線にＢＥＴ式（・・・）を適用して求めることができる。」（第４３頁左欄２６〜２９行）と記載されており、顔料の比表面積は、顔料表面の構造と性質の評価のために測定されることは明らかである。
　さらに、平成２９年１１月１５日付の手続補正書（方式）に添付された参考資料５（ＤＩＮ６６１３１）の第３頁の「４．手順」の項目において、「吸着測定の前に、試料は内部に吸着した物質を除くべきである。」（第３頁第１０〜１３行）と記載されており、顔料の比表面積の吸着測定前に、資料内部の吸着物質を除いて測定することが技術常識であり、実際に刊行物１でもＤＩＮ６６１３１に従って行われるといえる。
　刊行物１には、前述のとおり、段落【０１３８】及び【０１３９】（摘示（１ｉ））にて、ドーピングなしの成分ａ）に相当する顔料が作成され、同【０１４４】の表１にＤＩＮ６６１３１に従って成分ａ）の比表面積をＢＥＴにより測定することが記載されている（摘示（１ｉ））。
　また、顔料の比表面積は、顔料表面の構造と性質の評価のために測定することが技術常識であることからすると、刊行物１の表１に記載されたＢＥＴの値は、同【０１３９】の例１ｆとして製造された試験すべき顔料表面の構造と性質をそのまま評価した値であることは明らかである。
　そうすると、引用発明１における比表面積の値は、例１ｆで製造された顔料そのものを測定した値であり、本願発明の金属アゾ顔料の比表面積の数値範囲に引用発明１の比表面積の値が該当している以上、相違点２は実質的な相違点であるとはいえない。
（ウ）相違点３について
　本願明細書の段落【００２５】〜【００２７】及び【００３０】には、
「【００２５】
　本発明の金属アゾ顔料は、ａ）式（Ｉ）の金属アゾ化合物とｂ）式（ＩＩ）の化合物とのアダクトである。「アダクト」とは、一般的には、分子集合体を意味していると理解されたい。この場合における分子間の結合は、たとえば分子間相互作用、またはルイス酸−塩基相互作用、または配位結合の結果であってよい。
【００２６】
　本発明の文脈においては、「アダクト」という用語には一般的に、すべてのタイプの層間化合物および付加化合物が包含されているものとする。
【００２７】
　本発明の文脈における「層間化合物」または「付加化合物」という用語は、たとえば、分子間相互作用たとえばファンデルワールス相互作用、またはルイス酸−塩基相互作用に基づいて形成されている化合物を意味しているものと理解されたい。ここでその挿入の進行は、挿入される成分の化学的性質と、ホストの格子の化学的性質の両方に依存する。このタイプの化合物は多くの場合、層間化合物とも呼ばれる。化学的な感覚においては、このことは、化合物の中への、分子およびイオン（同様に、滅多にないが原子）の挿入を意味していると理解されたい。
・・・
【００３０】
　さらに、本発明の文脈における「層間化合物」または「付加化合物」という用語は、配位結合または錯結合に基づいて形成された化合物を意味しているとも理解されるべきである。このタイプの化合物は、たとえば混合置換結晶とも呼ばれ、その中では少なくとも２種の物質が協同して結晶を形成し、その第二の成分の原子が、第一の成分の本来の格子座に位置している。」
と記載されていることからすると、本願発明におけるアダクトとは、層間化合物および付加化合物を包含する分子集合体を形成するための全てのタイプの分子集合体を意味すると解することができる。
　一方、刊行物１の特許請求の範囲の請求項１には、成分ａ）として、「式（Ｉ）
（式（Ｉ）中の記号の説明は省略する）・・・のアゾ化合物の少なくとも１種の金属錯体、およびこの金属錯体は、少なくとも１種の他の化合物を挿入する」と記載され、その請求項９には、「成分ａ）の金属錯体が・・・特にメラミンを挿入する請求項１から８までのいずれか１項記載の顔料配合物。」と記載され、発明の詳細な説明の段落【００３５】には、「挿入される化合物として特に有利に、メラミンまたはメラミン誘導体、特に式（ＶＩＩ）
（式（ＶＩＩ）中の記号の説明は省略する）のような化合物を使用し」と記載されていることからすると、成分ａ）の金属錯体にメラミンが挿入され本願発明に該当する何らかの分子集合体を形成しているといえる。
　そうすると、引用発明１も、本願発明のアダクトに該当するといえ、相違点３は、実質的な相違点であるとはいえない。
ウ　小括
　以上のとおり、相違点１〜３は、いずれも実質的な相違点であるとはいえないから、本願発明は引用発明１と同一であり、本願発明は刊行物１に記載された発明である。
（２）本願発明と引用発明２との対比
ア　対比
　引用発明２は、塩化ニッケルと塩化銅からなる混合溶液のモル比が、塩化ニッケルが０．８４ｍｏｌで塩化銅が０．１６ｍｏｌであり、ＢＥＴ１１４ｍ２／ｇである点で引用発明１と異なる発明である。
　この上で、上記（１）における検討を加味すると、本願発明と引用発明２とは、
「金属アゾ顔料において、金属アゾ化合物及びｂ）式（ＩＩ）の少なくとも１種の化合物
［式中、Ｒ６は、水素である］を含む、測定された比表面積が５０〜２００ｍ２／ｇの比表面積を有する金属アゾ顔料」である限りで一致し、以下の点で一応相違する。
（相違点４）
　金属アゾ化合物が、本願発明では、ａ）金属アゾ化合物として式（Ｉ）の少なくとも２種の金属アゾ化合物
［式中、
Ｒ１およびＲ２はそれぞれ独立して、ＯＨであり、
Ｒ３およびＲ４はそれぞれ独立して、＝Ｏであり、かつ
Ｍｅは、Ｎｉ２＋、Ｚｎ２＋、Ｃｕ２＋、Ａｌ３＋２／３、Ｆｅ２＋、Ｆｅ３＋２／３、Ｃｏ２＋、およびＣｏ３＋２／３の群から選択される二価もしくは三価の金属イオンであるが、
ただし、それぞれの場合において前記式（Ｉ）のすべての化合物１モルを基準にして、Ｃｕ２＋およびＮｉ２＋の群からの金属イオンの量が９５〜１００モル％であり、Ｚｎ２＋、Ａｌ３＋２／３、Ｆｅ２＋、Ｆｅ３＋２／３、Ｃｏ２＋、およびＣｏ３＋２／３の群から選択される金属イオンの量が０〜５モル％であり、
かつ、前記式（Ｉ）の化合物の総計におけるＣｕ２＋対Ｎｉ２＋の金属イオンのモル比は、（１９：１）から（１：１９）までである］であると特定されているのに対して、引用発明２では、「ジアゾバルビツール酸１molを９０℃の熱水５ｌ中でバルビツール酸１molとＫＯＨ−滴定下にｐＨ５で反応させ、メラミン２molを添加し、ｐＨを塩酸で５に調節し、４０％濃度の塩化ニッケルと塩化銅からなる混合溶液（Ｎｉ　０．８４ｍｏｌとＣｕ　０．１６ｍｏｌを含む）を滴加し、９０℃で１時間の経過後ＫＯＨでｐＨ５に調節し、その後塩酸でｐＨ１．５にして、３時間、９８℃で熱調節し、その後、ＫＯＨでｐＨ５に調節し、引き続き、顔料を吸引濾過で単離し、洗浄し、８０℃で真空乾燥箱中で乾燥し、常用の実験室ミルで約２分間粉砕して得られた顔料」と製造方法によって特定されているだけであって、化学構造式が明示されていない点
（相違点５）
　本願発明では、５０〜２００ｍ２／ｇの比表面積を有する金属アゾ顔料と特定しているのに対して、引用発明２では、得られた金属アゾ顔料の比表面積の測定値が１１４ｍ２／ｇである点
（相違点６）
　金属アゾ顔料が、本願発明では、成分ａ）の式（Ｉ）の金属アゾ化合物と成分ｂ）の式（ＩＩ）の化合物のアダクトを含むと特定しているのに対して、引用発明２では、ジアゾバルビツール酸、バルビツール酸及びメラミンから製造されることは特定されているものの、最終的にアダクトの成分として特定がされていない点
イ　判断
（ア）相違点４について
　上記（１）イ（ア）で検討したとおり、引用発明２では、ジアゾバルビツール酸１モルとバルビツール酸１モルを反応させ、４０％濃度の塩化ニッケルと塩化銅からなる混合溶液（Ｎｉ　０．８４ｍｏｌとＣｕ　０．１６ｍｏｌを含む）を滴加して顔料を製造しているから、刊行物１に記載されたアゾバルビツール酸とニッケルが１：１で形成している化合物（ＶＩ）の錯体において、Ｎｉのうち１６モル％がＣｕに置換し、８４モル％がＮｉである２種の金属アゾ化合物が製造されたといえる。そして、この金属アゾ化合物は、刊行物１の特許請求の範囲の請求項１に記載された成分ａ）のアゾ化合物の金属錯体の具体例であるといえる。
　そうすると、引用発明２の製造方法で製造された金属アゾ化合物は、本願発明の式（Ｉ）で示される化合物のうち、Ｒ１及びＲ２は「＝Ｏ」であり、Ｒ３及びＲ４は「＝Ｏ」であり、「Ｍｅ」は、Ｎｉ２＋が８４モル％及びＣｕ２＋が１６モル％有する金属アゾ化合物であるということができる。そして、「Ｍｅ」がＮｉ２＋が８４モル％及びＣｕ２＋が１６モル％であるから、Ｃｕ２＋及びＮｉ２＋の群からの金属イオンの量が１００％であり、Ｃｕ２＋対Ｎｉ２＋の金属イオンのモル比は、（１６：８４）であり、（１９：１）〜（１：１９）に含まれる。
　ここで、引用発明２の製造方法で製造された化合物は、Ｒ１及びＲ２は「＝Ｏ」であり、１，３ジアジン環中の二重結合の数が１つであるが、これは、互変異性により、Ｒ１及びＲ２に隣接する１，３ジアジン環中の窒素原子と結合する「水素原子」がＲ１及びＲ２の「＝Ｏ」に転移する結果、Ｒ１及びＲ２が「ＯＨ」となり、そして、１，３ジアジン環中の二重結合数が２つになったものであることは明らかである。
　そうすると、相違点４は、実質的な相違点であるとはいえない。
（イ）相違点５について
　相違点５は、相違点２と比較すると、比表面積の測定値が、１１３ｍ２／ｇであったものが、１１４ｍ２／ｇであるとしたことだけが異なるから、上記（１）イ（イ）で検討したとおり、相違点５は実質的な相違点であるとはいえない。
（ウ）相違点６について
　相違点６は、上記（１）アで示した相違点３と同じであり、これは、上記（２）イ（ウ）述べたとおり、実質的な相違点であるとはいえない。
ウ　小括
　以上のとおり、相違点４〜６は、いずれも実質的な相違点であるとはいえないから、本願発明は引用発明２と同一であり、本願発明は刊行物１に記載された発明である。
（３）審判請求人の主張について
ア　審判請求人の主張
　審判請求人は、平成３０年１１月１２日付の意見書において、概略、以下のような主張をしている。
（ア）刊行物１に記載された顔料配合物１ｆ及び１ｇの比表面積は、白いペーストが添加された後、バインダー系によって調製された生成物に関する値であり、顔料そのものの値ではないとし、バインダー分子およびペースト分子が既に顔料結晶に吸着しているのでＢＥＴ測定の結果は低く見積もられた比表面積となる旨主張している（平成３０年１１月１２日付の意見書第８頁第１１〜３６行参照）。
（イ）参考資料１（参考資料１の和訳は参考資料２として提出。）には、本願明細書の実施例の例１ｆ（参考資料１では、実施例１（顔料Ａ）と記載している。）及び例１ｇ（参考資料１では、実施例２（顔料Ｂ）と記載している。）において、バインダー系を使用せずに、すなわちペーストとガラスビーズと共に３０分間粉砕することなしに得られた顔料に対してＩＳＯ９２７７によって測定された比表面積の値が、顔料Ａは２１７ｍ２／ｇ、顔料Ｂは２０９ｍ２／ｇであり、本願発明での特定（５０〜２００ｍ２／ｇ）と異なる旨主張する。（平成３０年１１月１２日付の意見書第８頁第３７行〜第９頁第８行参照）。
　そして、平成２９年１１月１５日付の手続補正書（方式）において、「古いＤＩＮ６６１３１の方法と、ＩＳＯ９２７７による方法は、同じ原理に基づくもので、同じ結果が得られます。・・・静的体積測定法を記載し、ＢＥＴによる多点解析および計算を適用しているＤＩＮ６６１３１の４．３．２．およびＩＳＯの６．３．１をご参照ください。」と主張し、参考資料１の結果は、引用文献１の例１ｆ、例１ｇの金属アゾ顔料の比表面積を正しく表したものである旨主張する（平成２９年１１月１５日付の手続補正書（方式）第５頁第１９〜３０行参照）。
イ　検討
（ア）主張（ア）について
　刊行物１の段落【０１４０】には、「試験すべき顔料４ｇを市販の白色ペースト３９６ｇ、例えばNordsjoe(Akzo Nobel)からのReady Nova 70、および直径２ｍｍのガラスビーズ４００ｍｌとSuessmeierビーズミル中で冷却下に粉砕する。
このペーストをドローダウン紙に線巻きブレード（２５μｍ）で塗布し、Gardnerからの色度計Color Guide 450を用いて比色分析的に測定する
色特性の測定のためには、
　一方、表１におけるＢＥＴは、脚注に、単位は「ｍ２／ｇで記載」、「ドイツ標準規格ＤＩＮ６６１３１により測定」と記載されており、ＢＥＴの測定が、得られた成分ａ）の顔料４ｇに白色ペースト３９６ｇを配合したものに対して測定した値であることは何ら記載されていない。そして、上記（１）イ（イ）で述べたように、刊行物１に記載されたＢＥＴ比表面積の値は、前述のとおり、表面の付着物を除去して表面の構造や性質を測定することが前提となっているのであるから、測定対象の表面の構造や性質を変化させてしまうことが自明である顔料４ｇの１００倍近くのペーストを配合したものを対象に測定するはずがなく、ＤＩＮ６６１３１にもそのような測定法は記載されていない。
　したがって、審判請求人の主張は、技術常識や刊行物１の記載に基づかないものであり、刊行物１に記載された顔料配合物例１ｆ及び例１ｇの比表面積は、白いペーストが添加された後、バインダー系によって調製された生成物に関する値であり、顔料そのものの値ではないなどという主張を採用することはできない。
（イ）主張（イ）について
　平成２９年１１月１５日付の手続補正書（方式）に添付された参考資料５（ＤＩＮ６６１３６）と参考資料６（ＩＳＯ９２７７）には、それぞれの規格におけるＢＥＴの測定方法は記載はされているものの、ＤＩＮ６６１３１の測定方法で測定されたＢＥＴの値であっても、ＩＳＯ９２７７の測定方法で測定されたＢＥＴの値であっても、同じ試料であれば同じ値を示す、ということまでは記載されていない。
　そうすると、参考資料１における本願明細書の実施例の例１ｆ及び例１ｇのＩＳＯ９２７７によって測定された比表面積の値が、本願発明の上限をわずかに超えた２１７ｍ２／ｇ及び２０９ｍ２／ｇであるからといって、本願発明で定義されるＤＩＮ６６１３１で測定した場合であっても完全に同じ値となり本願発明の数値範囲を満たさないということはできず、引用発明１又は２の比表面積が本願発明の範囲を満たしていることは、既に述べたとおりである。
　したがって、審判請求人のこの主張は採用できない。
ウ　小括
　以上のとおり、上記審判請求人の主張はいずれも採用することはできない。
（４）まとめ
　よって、本願発明は、刊行物１に記載された発明であるから、特許法第２９条第１項第３号に該当し特許を受けることができない。　
第５　むすび
　以上のとおり、本願発明は、特許を受けることができないものであるから、その他の請求項について検討するまでもなく、この出願は、拒絶をすべきものである。
　よって、結論のとおり審決する。